【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
創傷閉鎖装置であって、
創傷内または創傷上に位置付けられるようにサイズ設定され、かつ構成された締付構造であって、第一の端部、第二の端部、前記第一の端部および前記第二の端部から延在する長さ、前記締付構造の中心横軸に沿って延在する前記長さに対して垂直な幅、ならびに前記長さおよび前記幅に対して直角の高さを有し、前記締付構造が、
前記第一の端部から前記第二の端部まで、前記締付構造の前記長さに平行または半平行して延在する凹面および凸面であって、前記凹面は前記締付構造に対して凹状に湾曲または屈曲しており、前記凸面は前記凹面に対向しており、前記締付構造に対して凸状に湾曲または屈曲している、凹面および凸面と、
前記第一の端部から前記第二の端部まで、前記締付構造の前記長さに延在する複数の細長いストリップであって、前記凹面および前記凸面を画定する二つの最も外側の細長いストリップを含む、複数の細長いストリップと、
前記複数の細長いストリップを接続する複数の介在部材であって、前記細長いストリップに対して旋回して、前記複数の細長いストリップが互いに対して折り畳まれるように構成される、複数の介在部材と、
前記締付構造の前記長さおよび幅に平行な水平面に隣り合わせて設けられる複数のセルであって、前記セルそれぞれが、前記細長いストリップまたは前記介在部材のいずれかによって形成された複数の壁によって画定され、前記セルそれぞれが、上端と下端を貫通する開口部を有する前記上端および前記下端を有する、複数のセルと、を含む締付構造、を備え、
前記複数の細長いストリップが、前記複数のセルが折り畳まれると曲度を増加させ、前記創傷に締付力を適用するように構成される、創傷閉鎖装置。
【請求項２】
前記締付構造が少なくとも部分的に三日月形状である、請求項１に記載の装置。
【請求項３】
前記長さおよび幅が前記高さより大きい、請求項１または２に記載の装置。
【請求項４】
前記セルの少なくとも一部がひし形状である、請求項１〜３のいずれか一項に記載の装置。
【請求項５】
前記締付構造が、一つ以上の着脱可能なセグメントを含む、請求項１〜４のいずれか一項に記載の装置。
【請求項６】
前記一つ以上の着脱可能なセグメントが取付要素を含む、請求項５に記載の装置。
【請求項７】
少なくとも一つの追加的な締付構造をさらに含む、請求項１〜６のいずれかに記載の装置。
【請求項８】
前記締付構造の凹面に適合するように構成された発泡体の下層をさらに含む、請求項１〜７のいずれか一項に記載の装置。
【請求項９】
前記締付構造の前記凸面に適合するように構成された発泡体の上層をさらに含む、請求項１〜８のいずれかに記載の装置。
【請求項１０】
組織保護層をさらに含む、請求項１〜９のいずれかに記載の装置。
【請求項１１】
創傷閉鎖装置であって、
凹面および凸面を含む締付構造を含み、
前記締付構造が、切断創傷に適合するように構成され、前記締付構造が、陰圧が前記締付構造に適用されるときに、前記切断創傷に対して閉鎖力を適用するように構成され、
前記締付構造が、垂直面よりも水平面でより大きな程度まで折り畳まれるように構成される、創傷閉鎖装置。
【請求項１２】
前記凹面に取り付けられた発泡体の下層であって、前記締付構造の前記凹面の形状に適合する発泡体の下層と、
前記凸面に取り付けられた発泡体の上層であって、前記締付構造の前記凸面の形状に適合する発泡体の上層と、をさらに含む、請求項１１に記載の創傷閉鎖装置。
【請求項１３】
前記締付構造が、少なくとも部分的に三日月形状である、請求項１１または１２に記載の装置。
【請求項１４】
長さおよび幅が高さより大きい、請求項１１〜１３のいずれか一項に記載の装置。
【請求項１５】
複数のセルをさらに含み、前記セルの少なくとも一部がひし形状である、請求項１１〜１４のいずれか一項に記載の装置。
【請求項１６】
前記締付構造が、一つ以上の着脱可能なセグメントを含み、任意で、前記一つ以上の着脱可能なセグメントが取付要素をさらに含む、請求項１１〜１５のいずれか一項に記載の装置。
【請求項１７】
少なくとも一つの追加的な締付構造をさらに含む、請求項１１〜１６のいずれか一項に記載の装置。
【請求項１８】
前記締付構造を覆い、前記創傷の周りで封止を形成するように構成された一つ以上のドレープをさらに含み、任意で、前記創傷に陰圧を供給するように構成された吸引ポートをさらに含む、請求項１〜１７のいずれか一項に記載の装置。
【請求項１９】
締付構造に陰圧を供給して、複数の前記セルの折り畳みを引き起こし、前記締付構造に締付力を前記創傷に適用させるように構成された陰圧源をさらに含む、請求項１〜１８のいずれか一項に記載の装置。
【手続補正２】
【補正対象書類名】明細書
【補正対象項目名】００８３
【補正方法】変更
【補正の内容】
【００８３】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている
言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷閉鎖装置であって、
創傷内または創傷上に位置付けられるようにサイズ設定され、かつ構成された締付構造であって、第一の端部、第二の端部、前記第一の端部および前記第二の端部から延在する長さ、前記締付構造の中心横軸に沿って延在する前記長さに対して垂直な幅、ならびに前記長さおよび前記幅に対して直角の高さを有し、前記締付構造が、
前記第一の端部から前記第二の端部まで、前記締付構造の前記長さに平行または半平行して延在する凹面および凸面であって、前記凹面は前記締付構造に対して凹状に湾曲または屈曲しており、前記凸面は前記凹面に対向しており、前記締付構造に対して凸状に湾曲または屈曲している、凹面および凸面と、
前記第一の端部から前記第二の端部まで、前記締付構造の前記長さに延在する複数の細長いストリップであって、前記凹面および前記凸面を画定する二つの最も外側の細長いストリップを含む、複数の細長いストリップと、
前記複数の細長いストリップを接続する複数の介在部材であって、前記細長いストリップに対して旋回して、前記複数の細長いストリップが互いに対して折り畳まれるように構成される、複数の介在部材と、
前記締付構造の前記長さおよび幅に平行な水平面に隣り合わせて提供される複数のセルであって、各セルが、前記細長いストリップまたは前記介在部材のいずれかによって形成された複数の壁によって画定され、各セルが、上端と下端を貫通する開口部を有する前記上端および前記下端を有する、複数のセルと、を含む締付構造、を備え、
前記複数の細長いストリップが、前記複数のセルが折り畳まれると曲度を増加させ、前記創傷に締付力を適用するように構成される、創傷閉鎖装置。
［付記項２］
前記締付構造が少なくとも部分的に三日月形状である、付記項１に記載の装置。
［付記項３］
前記長さおよび幅が前記高さより大きい、付記項１または２に記載の装置。
［付記項４］
前記セルの少なくとも一部がひし形状である、付記項１〜３のいずれか一項に記載の装置。
［付記項５］
前記締付構造が、一つ以上の着脱可能なセグメントを含む、付記項１〜４のいずれか一項に記載の装置。
［付記項６］
前記一つ以上の着脱可能なセグメントが取付要素を含む、付記項５に記載の装置。
［付記項７］
少なくとも一つの追加的な締付構造をさらに含む、付記項１〜６のいずれかに記載の装置。
［付記項８］
前記締付構造の凹面に適合するように構成された発泡体の下層をさらに含む、付記項１〜７のいずれか一項に記載の装置。
［付記項９］
前記締付構造の前記凸面に適合するように構成された発泡体の上層をさらに含む、付記項１〜８のいずれかに記載の装置。
［付記項１０］
組織保護層をさらに含む、付記項１〜９のいずれかに記載の装置。
［付記項１１］
創傷閉鎖装置であって、
凹面および凸面を含む締付構造を含み、
前記締付構造が、切断創傷に適合するように構成され、前記締付構造が、陰圧が前記締
付構造に適用されるときに、前記切断創傷に対して閉鎖力を適用するように構成され、
前記締付構造が、垂直面よりも水平面でより大きな程度まで折り畳まれるように構成される、創傷閉鎖装置。
［付記項１２］
前記凹面に取り付けられた発泡体の下層であって、前記締付構造の前記凹面の形状に適合する発泡体の下層と、
前記凸面に取り付けられた発泡体の上層であって、前記締付構造の前記凸面の形状に適合する発泡体の上層と、をさらに含む、付記項１１に記載の創傷閉鎖装置。
［付記項１３］
前記締付構造が、少なくとも部分的に三日月形状である、付記項１１または１２に記載の装置。
［付記項１４］
前記長さおよび幅が前記高さより大きい、付記項１１〜１３のいずれか一項に記載の装置。
［付記項１５］
複数のセルをさらに含み、前記セルの少なくとも一部がひし形状である、付記項１１〜１４のいずれか一項に記載の装置。
［付記項１６］
前記締付構造が、一つ以上の着脱可能なセグメントを含む、付記項１１〜１５のいずれか一項に記載の装置。
［付記項１７］
前記一つ以上の着脱可能なセグメントが取付要素を含む、付記項１６に記載の装置。
［付記項１８］
少なくとも一つの追加的な締付構造をさらに含む、付記項１１〜１７のいずれか一項に記載の装置。
［付記項１９］
前記締付構造を覆い、前記創傷の周りで封止を形成するように構成された一つ以上のドレープをさらに含む、付記項１〜１８のいずれか一項に記載の装置。
［付記項２０］
前記創傷に陰圧を供給するように構成された吸引ポートをさらに含む、付記項１９に記載の装置。
［付記項２１］
締付構造に陰圧を供給して、前記複数のセルの折り畳みを引き起こし、前記締付構造に前記締付力を前記創傷に適用させるように構成された陰圧源をさらに含む、付記項１〜２０のいずれか一項に記載の装置。
［付記項２２］
創傷を治療する方法であって、
付記項１〜２１のいずれか一項に記載の締付構造を提供することと、
前記締付構造を創傷部位内または創傷部位上に配置することであって、前記締付構造が、前記締付構造の前記凹面が前記創傷に面し、前記締付構造の前記長さが前記創傷開口部を横切って整列されるように配置される、配置することと、を含む、方法。
［付記項２３］
前記創傷を囲む皮膚に封止される少なくとも一つのドレープで前記締付構造を覆うことと、
陰圧源を介して、前記少なくとも一つのドレープを通して陰圧を前記創傷に適用することであって、前記陰圧の適用により前記締付構造が折り畳まれる、適用することと、をさらに含む、付記項２２に記載の方法。
［付記項２４］
前記締付構造を配置する前に、前記創傷上に組織保護層を挿入することをさらに含む、付記項２２〜２３のいずれか一項に記載の方法。
［付記項２５］
四肢切断後に創傷を閉鎖する方法であって、
締付構造を提供することと、
前記創傷上に組織保護層を挿入することと、
前記創傷上に前記発泡体の下層を配置することと、
締付構造を前記創傷部位に配置することであって、前記締付構造の前記長さが前記創傷開口部と垂直に整列される、配置することと、
前記創傷を囲む皮膚に封止される少なくとも一つのドレープで前記締付構造を覆うことと、
陰圧源を介して、前記少なくとも一つのドレープを通して陰圧を前記創傷に適用することであって、前記陰圧の適用により前記締付構造が折り畳まれる、適用することと、を含む、方法。
［付記項２６］
実質的に示されおよび／または説明される装置。
［付記項２７］
実質的に示されおよび／または説明される方法。
［付記項２８］
実質的に示されおよび／または説明されるシステム。
［付記項２９］
実質的に示されおよび／または説明されるキット。